(57)【要約】【課題】無線チャネルに関するフィードバック情報が選択されたサブバンドの個々のサブバンド毎に提供されることを許容しない場合、柔軟性を低減し、無線チャネルでのデータ通信の品質を低減する可能性がある。【解決手段】無線チャネルに関するフィードバック情報を報告するために、移動局は、所定の条件が満たされているか否かを決定する。所定の条件が満たされていることを決定したことに応じて、無線チャネルの複数のサブバンドのうち個々のものに関するフィードバック情報が、基地局に送信される第１の報告に含まれる。所定の条件が満たされていないことを決定したことに応じて、複数のサブバンドに関する集約したフィードバック情報が、基地局に送信される第２の報告に含まれる。【選択図】図１
2014064334.tif 000002
【特許請求の範囲】
【請求項１】
無線チャネルに関するフィードバック情報を報告する方法であって、
移動局により、所定の条件が満たされているか否かを決定し、
前記所定の条件が満たされていることを決定したことに応じて、前記無線チャネルの複数のサブバンドのうち個々のものに関するフィードバック情報を、基地局に送信される第１の報告に含め、
前記所定の条件が満たされていないことを決定したことに応じて、前記複数のサブバンドに関する集約したフィードバック情報を、前記基地局に送信される第２の報告に含めることを有する方法。
【請求項２】
前記所定の条件が満たされているか否かを決定することは、好適なサブバンドを識別するデータ構造が変化したか否かを決定することを有する、請求項１に記載の方法。
【請求項３】
好適なサブバンドを識別するデータ構造が変化したか否かを決定することは、前記好適なサブバンドを識別するビットマップが変化したか否かを決定することを有する、請求項２に記載の方法。
【請求項４】
前記第１の報告を送信した後に、前記所定の条件が満たされている場合、前記複数のサブバンドのうち第２の個々のものに関する更なるフィードバック情報を、前記基地局に送信される第３の報告に含めることを更に有する、請求項１に記載の方法。
【請求項５】
前記複数のサブバンドのうち第２の個々のものに関する更なるフィードバック情報を、前記第１の報告に含めることを更に有する、請求項１に記載の方法。
【請求項６】
前記移動局により、前記無線チャネルの全ての利用可能なサブバンド未満である前記複数のサブバンドのうち１つ以上を使用して、データ通信を実行することを更に有する、請求項１に記載の方法。
【請求項７】
前記データ通信を実行することは、LTE（Long  Term  Evolution）  PUSCH（physical  uplink  shared  channel）  Mode  2-0に従う、請求項６に記載の方法。
【請求項８】
前記データ通信を実行することは、LTE（Long  Term  Evolution）  PUSCH（physical  uplink  shared  channel）  Mode  2-2に従う、請求項６に記載の方法。
【請求項９】
前記データ通信を実行することは、閉ループMIMO（multiple  input,  multiple  output）動作モードに従う、請求項６に記載の方法。
【請求項１０】
前記移動局は、複数のコードワードを送信し、
前記第１の報告に含まれる前記フィードバック情報は、前記複数のコードワードのうち第１のものについてであり、
前記第１の報告は、前記複数のコードワードのうち他のものについて個々のサブバンドのフィードバック情報を更に含む、請求項９に記載の方法。
【請求項１１】
前記個々のサブバンドの前記第１の報告の前記フィードバック情報は、プリコーディング行列インデックス（PMI）及びチャネル品質インジケータ（CQI）のうち１つを有する、請求項１に記載の方法。
【請求項１２】
無線チャネルで移動局と無線通信するインタフェースと、
プロセッサと
を有する基地局であって、
前記プロセッサは、
条件が満たされているか否かを決定し、
前記条件が満たされていることを決定したことに応じて、前記無線チャネルの複数のサブバンドのうち個々のサブバンドの個々のフィードバック情報を使用し、
前記条件が満たされていないことを決定したことに応じて、前記複数のサブバンドの集約したフィードバック情報を使用する基地局。
【請求項１３】
前記個々のフィードバック情報又は集約したフィードバック情報は、前記移動局に送信される下りリンクのシグナリング及びトラヒックデータに使用される、請求項１２に記載の基地局。
【請求項１４】
前記個々のフィードバック情報は、個々のチャネル品質インジケータ（CQI）を有する、請求項１２に記載の基地局。
【請求項１５】
前記個々のフィードバック情報は、個々のプリコーディング行列インデックス（PMI）を有する、請求項１２に記載の基地局。
【請求項１６】
前記条件は、前記複数のサブバンドを識別する現在の報告間隔のビットマップが前の報告間隔のビットマップから変化しない場合に満たされる、請求項１２に記載の基地局。
【請求項１７】
無線チャネルで基地局と無線通信するインタフェースと、
プロセッサと
を有する移動局であって、
前記プロセッサは、
所定の条件が満たされているか否かを決定し、
前記所定の条件が満たされていることを決定したことに応じて、前記無線チャネルの複数のサブバンドのうち個々のものに関する個々のフィードバック情報を、基地局に送信される第１の報告に含め、
前記所定の条件が満たされていないことを決定したことに応じて、前記複数のサブバンドに関する集約したフィードバック情報を、前記基地局に送信される第２の報告に含める移動局。
【請求項１８】
前記第１の報告は、好適なサブバンドであるとして前記複数のサブバンドを識別するビットマップを含む、請求項１７に記載の移動局。
【請求項１９】
前記個々のフィードバック情報は、個々のチャネル品質インジケータ（CQI）及び個々のプリコーディング行列インデックス（PMI）のうち１つを含む、請求項１７に記載の移動局。
【請求項２０】
前記所定の条件は、前記複数のサブバンドを識別するビットマップが連続する報告間隔で同じままである場合に満たされる、請求項１７に記載の移動局。
【請求項２１】
無線チャネルで移動局と無線通信するインタフェースと、
プロセッサと
を有する基地局であって、
前記プロセッサは、
前記移動局に対して無線チャネルの複数のサブバンドのうち少なくとも１つの個々のサブバンドに関する個々のフィードバック情報を送信させる制御指示を前記移動局に送信し、
前記制御指示に応じた個々のフィードバック情報を含む少なくとも１つのメッセージを前記移動局から受信する基地局。
【請求項２２】
前記複数のサブバンドは、前記無線チャネルの全てのサブバンドの中から選択された好適なサブバンドである、請求項２１に記載の基地局。
【請求項２３】
前記制御指示を送信することは、所定の条件が満たされていることを決定したことに応じ、
前記所定の条件が満たされていないことを決定したことに応じて、前記移動局に対して前記複数のサブバンドの集約したフィードバック情報を送信させる他の制御指示を前記移動局に送信することを更に有する、請求項２１に記載の基地局。
【請求項２４】
無線チャネルで基地局と無線通信するインタフェースと、
プロセッサと
を有する移動局であって、
前記プロセッサは、
無線チャネルの複数のサブバンドのうち少なくとも１つの個々のサブバンドに関する個々のフィードバック情報が送信されるべきであることを示す制御指示を前記基地局から受信し、
前記制御指示に応じて、前記個々のフィードバック情報を含む少なくとも１つのメッセージを前記基地局に送信する移動局。
【請求項２５】
前記制御指示は、所定の条件が満たされていることを前記基地局が決定したことに応じて受信され、
前記移動局に対して前記複数のサブバンドの集約したフィードバック情報を送信させる他の制御指示を前記基地局から受信することを更に有し、
前記他の制御指示は、前記所定の条件が満たされていないことを前記基地局が決定したことに応じる、請求項２４に記載の移動局。
【発明の詳細な説明】
【背景技術】
【０００１】
移動局が他の移動局又は有線ネットワークに結合された有線端末との通信を実行可能にするために、様々な無線アクセス技術が提案又は実装されている。無線アクセス技術の例は、3GPP（Third  Generation  Partnership  Project）により規定されているGSM（登録商標）（Global  System  for  Mobile  communications）及びUMTS（Universal  Mobile  Telecommunications  System）技術と、3GPP2により規定されているCDMA2000（Code  Division  Multiple  Access  2000）技術とを含む。
【０００２】
スペクトル効率を向上するため、サービスを向上するため、コストを低減するため等の無線アクセス技術の継続する進展の一部として、新しい標準が提案されている。１つのこのような新しい標準は、3GPPからのLTE（Long  Term  Evolution）標準である。LTE標準は、UMTS無線ネットワークを拡張することを試みる。
【０００３】
或る場合には、無線チャネルに関するフィードバック情報を提供することが望ましいことがある。フィードバック情報は、移動局から基地局に送信され得る。フィードバック情報は、基地局が選択された変調及び符号化を、基地局から移動局に送信されるデータに適用することを可能にする情報を含み得る。更に、フィードバック情報は、無線チャネルの品質の指標を含み得る。
【発明の概要】
【発明が解決しようとする課題】
【０００４】
通常のLTE標準によれば、データを通信する無線チャネルは、サブバンド（バンドとも呼ばれる）に分割される。サブバンドの部分集合は、基地局と移動局との間でのデータの通信に使用可能な最適なサブバンドとして識別され得る。通常のLTE標準は、複数の情報フィードバックモードをサポートするが、これらは最適でない可能性がある。例えば、LTE標準により規定されているPUSCH（physical  uplink  shared  channel）  reporting  Mode  2-2は、無線チャネルに関するフィードバック情報が選択されたサブバンドの個々のサブバンド毎に提供されることを許容しない。このことは、柔軟性を低減し、無線チャネルでのデータ通信の品質を低減する可能性がある。
【課題を解決するための手段】
【０００５】
概して、好ましい実施例によれば、無線チャネルに関するフィードバック情報を報告するために、移動局は、所定の条件が満たされているか否かを決定する。そうである場合、無線チャネルの複数のサブバンドのうち個々のものに関するフィードバック情報が、基地局に送信される報告（レポート）に含まれる。しかし、所定の条件が満たされていないことを決定したことに応じて、複数のサブバンドに関する集約したフィードバック情報が、基地局に送信される他の報告に含まれる。
【図面の簡単な説明】
【０００６】
【図１】本発明の好ましい実施例を組み込んだ無線通信ネットワークを含む例示的な構成のブロック図
【図２】好ましい実施例に従って無線チャネルに関するフィードバック情報を提供するために移動局から基地局に通信され得る報告の図
【図３】好ましい実施例に従って無線チャネルに関するフィードバック情報を提供するために移動局から基地局に通信され得る異なる報告の図
【図４】好ましい実施例に従って無線チャネルに関するフィードバック情報を通信及び／又は使用する処理のフローチャート
【図５】好ましい実施例に従って無線チャネルに関するフィードバック情報を通信及び／又は使用する処理のフローチャート
【図６】好ましい実施例に従って無線チャネルに関するフィードバック情報を通信及び／又は使用する処理のフローチャート
【図７】好ましい実施例に従って無線チャネルに関するフィードバック情報を通信及び／又は使用する処理のフローチャート
【図８】好ましい実施例に従って無線チャネルに関するフィードバック情報を通信及び／又は使用する処理のフローチャート
【発明を実施するための形態】
【０００７】
他の特徴又は代替の特徴は、以下の説明、図面及び特許請求の範囲から明らかになる。
【０００８】
以下の説明では、複数の詳細がいくつかの実施例の理解を提供するために示されている。しかし、いくつかの実施例はこれらの詳細なしに実施されてもよく、記載の実施例から複数の変更又は変形が可能になり得ることが、当業者によりわかる。
【０００９】
或る好ましい実施例によれば、無線チャネルに関するフィードバック情報を報告する技術又は機構が提供される。個々のサブバンドに関するフィードバック情報は、基地局に提供されてもよい。ここで使用される“無線チャネル”という用語は、相互に無線で通信するために、移動局と基地局とを含む無線ノードにより使用可能なリソースの集合を示す。リソースは、異なる周波数のサブキャリアを含む。更に、リソースは、異なるタイムスロット又は異なるプリコーディングベクトルを含んでもよい。一実施例では、無線チャネルは、無線チャネルのリソースがタイムスロット（時間座標方向）と異なる周波数のサブキャリア（周波数座標方向）との組み合わせにより規定される直交周波数分割多重（OFDM：orthogonal  frequency  division  multiplexing）構成に従って実装されてもよい。
【００１０】
OFDM構成では、サブバンド（“バンド”とも呼ばれる）は、周波数座標方向の複数のサブキャリアと、時間座標方向の全てのOFDMシンボル（タイムスロット）とを含んでもよい。従って、無線チャネルは、複数のサブバンドに分割されてもよい。より一般的には、“サブバンド”は、無線チャネルの或る所定の部分を示し、無線チャネルは、移動局と基地局との間でデータを通信するために使用する複数のこのような所定の部分を有してもよい。
【００１１】
移動局から基地局に提供され得るフィードバック情報は、基地局により移動局に送信される下りリンクのシグナリング（トラヒックデータ及び／又は制御シグナリング及び／又はリファレンスシグナリング）において基地局により適用される変調及び符号化を推奨するためのフィードバック情報を含む。この場合、フィードバック情報は、下りリンクでのシグナリングに適用される変調及び符号化の選択を可能にするインデックス（又は他の種類のインジケータ）を含む。或る例では、このインデックスは、基地局でプリコーディングを適用するために使用され得るプリコーディング行列インデックス（PMI：precoding  matrix  index）を含む。
【００１２】
移動局から基地局に送信され得るフィードバック情報の他の例は、無線チャネル品質の指標であるチャネル品質インジケータ（CQI：channel  quality  indicator）を含む。
【００１３】
或る実施例によれば、移動局から基地局に報告されるフィードバック情報の種類は、所定の条件が満たされているか否かに依存する。或る実装では、この所定の条件は、移動局が低速移動（又は静止中）の移動局であるか高速移動（高速）の移動局であるかの指標である。低速移動の移動局では、フィードバック情報のパラメータが複数の報告期間で変化しない可能性があるため、対応する報告期間で同じパラメータを報告することは冗長的である。低速移動の移動局では、連続する報告期間に同じパラメータを繰り返し送信する代わりに、異なるフィードバック情報が異なる報告期間に送信されてもよい。換言すると、異なるユーザの異なる種類のフィードバック情報の報告周期は、異なる値に設定されてもよい。
【００１４】
或る報告モードでは、移動局から基地局に送信されるフィードバック情報（CQI及び／又はPMIを含む）は、複数のサブバンドの特性を反映する集約したフィードバック情報である。集約したフィードバック情報は、複数のサブバンドの特性の平均又は他の集約を反映した情報でもよい。
【００１５】
しかし、或る好ましい実施例によれば、所定の条件が検出されると、集約したフィードバック情報を送信する代わりに、個々のサブバンドの個々のフィードバック情報が報告されてもよい（“増分フィードバック報告（incremental  feedback  reporting）と呼ばれる）。従って、複数のサブバンドの集約したCQIを報告する代わりに、個々のサブバンドの個々のCQIが報告されてもよい。同様に、複数のサブバンドの集約した特性に基づく集約したPMIを報告する代わりに、個々のサブバンドの個々のPMIが報告されてもよい。
【００１６】
無線チャネルのサブバンドの集合の中から、サブバンドの部分集合は、無線チャネルの好適な又は“最善の”サブバンドとして識別されてもよい。例えば、M（M>1）のサブバンドが識別されてもよい。これらのMのサブバンドは、基地局と移動局との間でトラヒックデータ又は高レイヤのシグナリング情報を通信するために使用されてもよい。
【００１７】
図１は、本発明の或る実施例が提供され得る例示的な無線ネットワークを示している。無線ネットワークは、対応するセルセクタ108で複数のパス104、106（空間ビーム）を通じて無線信号を送信するアンテナアレイ又は他のアセンブリ（マルチビームアンテナ）102を含む基地局100を含む。異なる実装では、アンテナアレイ102は、１つのパスを通じて無線信号を送信する単一のアンテナのみを含んでもよい。
【００１８】
セルセクタは、セルラネットワークのセルの１つの区分である。図１には２つのみのパス104及び106が示されているが、他の実施例では、２つより多くのパス（又は１つのみのパス）がセルセクタで提供されてもよい点に留意すべきである。代替の実装では、セルセクタで複数のビームを提供する代わりに、複数のビームがセルで提供されてもよい点に留意すべきである。ここで使用される“セルセグメント”という用語は、セルセクタ又はセルを示してもよい。
【００１９】
図１には１つのみの基地局が示されているが、無線ネットワークは典型的に複数の基地局を含む点に留意すべきである。或る実施例では、無線ネットワークは、LTE無線ネットワークである。代替の実施例では、他の種類の無線ネットワークが使用されてもよい。“LTE無線ネットワーク”への言及は、標準が時間と共に変更又は進展するときに3GPPにより展開されるLTE標準の要件に従い、また、LTEから進展する次の標準に従う無線ネットワークを示す点に留意すべきである。更に、以下の説明ではLTE無線ネットワークに言及が行われるが、好ましい実施例による技術は、LTEではないOFDMに基づく無線ネットワークにも適用され得る点に留意すべきである。
【００２０】
LTE無線ネットワークでは、基地局100は、アンテナアレイ102を含む基地送受信局を含む拡張ノードB（eNode  B：enhanced  node  B）を含む。基地局100はまた、拡張ノードBと協働する無線ネットワークコントローラを含んでもよい。無線ネットワークコントローラ及び／又は拡張ノードBは、無線リソース管理、移動局のモビリティを管理するモビリティ管理、トラヒックのルーティング等のタスクの１つ以上を実行してもよい。１つの無線ネットワークコントローラは、複数のeNode  Bにアクセスしてもよく、或いは、eNode  Bは１つより多くの無線アクセスコントローラによりアクセスされてもよい点に留意すべきである。
【００２１】
より一般的には、“基地局”という用語は、セルラネットワークの基地局、何らかの種類の無線ネットワークで使用されるアクセスポイント、又は移動局と通信する何らかの種類の無線送信機を示してもよい。
【００２２】
図１に示すように、基地局100は、記憶装置124に接続された１つ以上の中央処理装置（CPU）122を含む。更に、基地局100は、LTE無線ネットワークでのSDMAのサポートを可能にする好ましい実施例によるタスクを含み、基地局100のタスクを実行するためにCPU122で実行可能なソフトウェア126を含む。
【００２３】
図１の移動局110はまた、記憶装置132に接続された１つ以上のCPU130を含む。移動局110はまた、移動局110のタスクを実行するためにCPU130で実行可能なソフトウェア134を含む。
【００２４】
基地局100は、サービング及び／又はパケットデータネットワーク（PDN：packet  data  network）ゲートウェイ112に接続される。サービング及び／又はPDNゲートウェイ112は、拡張ノードBに対するユーザプレーンインタフェースを終端し、外部ネットワーク114へのパケットルーティング及び転送の役目を負う。外部ネットワーク114は、インターネットのようなパケットデータネットワーク又は他の種類のネットワークでもよい。
【００２５】
図１に示す構成は、例示目的で提供されている。他の実装では、他の無線ネットワーク構成が使用される。
【００２６】
前述のように、或る実施例によれば、CQI及びPMIを含むフィードバック情報の増分の報告が実行されてもよい。１つの実装では、このようなフィードバック情報の報告は、物理上りリンク共有チャネル（PUSCH：physical  uplink  shared  channel）上でもよい。しかし、他の実装では、フィードバック情報は、移動局から基地局に送信される他の種類のチャネル又はメッセージ（例えば、物理上りリンク制御チャネル（PUCCH：physical  uplink  control  channel））で提供されてもよい。一般的に、フィードバック情報は、報告（レポート）で送信されるものを示し、“報告（レポート）”は、メッセージ、メッセージのフィールド、複数のメッセージ等を含んでもよい。
【００２７】
或る実装によれば、LTE標準により規定された２つの動作モードが、好ましい実施例に従って増分フィードバック報告を使用してもよい。これらの２つの動作モードは、LTE  PUSCH  reporting  Mode  2-0及びMode  2-2を含む。LTEにより規定されたPUSCH  reporting  Mode  2-0は、SIMO（single  input,  multiple  output）通信、空間周波数ブロック符号化（SFBC：spatial  frequency  block  coding）通信、又は開ループ空間多重（SM：spatial  multiplexing）通信に使用される。この報告モードでは、プリコーディング情報はフィードバックに含まれない。
【００２８】
LTEによるMode  2-2は、閉ループMIMO（multiple  input,  multiple  output）通信を示し、閉ループMIMOは、符号化を適用するためにフィードバック情報を使用する。例えば、移動局からの（PMIの形式での）フィードバック情報に基づいて、基地局は、選択されたプリコーディングを適用する。
【００２９】
この説明では、LTE  Mode  2-0及びMode  2-2に言及が行われるが、好ましい実施例による増分フィードバック報告はまた、他の種類の無線通信に適用されてもよい。
【００３０】
拡張されたLTE  PUSCH  reporting  Mode  2-0について、個々のCQIの増分の報告が図２に示されている。４つの連続する報告時間間隔（1,2,3,4）について、４つの報告が図２に示されている。１つの実装では、これらの４つの報告は、移動局から基地局にPUSCHにより伝達される。移動局から基地局に送信される報告は、ビットマップを含むビットマップフィールド202と、集約したCQI又は個々のCQIを選択的に含むサブバンドCQI情報フィールド204と、広帯域CQIを含む広帯域CQI情報フィールド206とを含む。ビットマップは、Mの好適なサブバンドを識別する。ビットマップは、各サブバンドに対応する複数のビットを含む。ビットのそれぞれを設定することは、対応するサブバンドが好適なものとして識別されたことを意味する。他の実装では、どのサブバンドが好適であるかを示すために、他の種類のデータ構造が使用されてもよい。
【００３１】
サブバンドCQI情報フィールド204は、ビットマップにより識別されたMのサブバンドの集約したCQI、或いはMのサブバンドのうち１つの個々のCQIを含んでもよい。図２に示すように、報告時間間隔1では、サブバンドCQI情報フィールド204は、Mのサブバンドでの集約したCQIを含む。広帯域CQI情報フィールド206は、全てのサブバンドを含む全体の無線チャネルでの集約したCQIを含む。
【００３２】
報告間隔1では、前述の所定の条件が満たされないことが想定され、このため、サブバンドCQI情報フィールド204で通信されるCQIは、Mのサブバンドでの集約したCQIである。或る実施例では、所定の条件は、ビットマップの内容に基づく。現在のビットマップが（前の報告間隔の）前のビットマップと同じである場合、所定の条件は満たされる。しかし、現在のビットマップが前の報告間隔の前のビットマップと異なる場合、所定の条件は満たされない。連続する報告間隔でビットマップが同じままであることは、移動局が低速移動又は静止中の移動局であるという指標である。
【００３３】
図２の例では、各報告間隔2-4において、ビットマップは、時間間隔1で報告されたビットマップと同じままであることが想定される。報告間隔2において、サブバンドCQI情報フィールド204は、Mのサブバンドの中から第１の個々のサブバンドの個々のCQIを含む。同様に、報告間隔3及び4において、それぞれの報告のサブバンドCQI情報フィールド204は、Mのサブバンドの中から対応する第２及び第３のサブバンドの個々のCQIを含む。従って、ビットマップが変化しない場合、集約したCQIではなく、個々のCQIが報告されてもよい。
【００３４】
図２は、対応する個々のサブバンドについて１つのみの個々のCQIが各報告に含まれ得る実装を示しているが、代替の実装では、対応するサブバンドについて複数の個々のCQIが１つの報告に含まれてもよい点に留意すべきである。
【００３５】
図３は、拡張されたLTE  PUSCH  reporting  Mode  2-2について、４つの異なる報告間隔（1,2,3,4）で送信される報告を示している。Mode  2-2では、CQI情報に加えて、PMI情報も提供される（閉ループMIMOが使用されるため）。更に、Mode  2-2では、２つの送信コードワードのCQI情報が別々に報告されるように、２つの送信コードワードが存在することが想定される。図３に示す各報告において、ビットマップフィールド302はビットマップを含み、第１のサブバンドCQIフィールド304は第１の送信コードワードのサブバンドCQI情報を含み、広帯域CQIフィールド306は広帯域CQIを含み、第２のサブバンドCQI情報フィールド308は、第２の送信コードワードのサブバンドCQI情報を含み、PMI情報フィールド310はPMI情報を含む。図３の報告間隔1において、現在のビットマップが（前の報告間隔の）前のビットマップと異なることが想定される。その結果、サブバンドCQI情報フィールド304及び308で提供されるサブバンドCQIと、PMI情報フィールド310でのPMI情報とは、それぞれフィールド302のビットマップにより識別されたMのサブバンドについての集約したCQI及びPMIである。
【００３６】
しかし、報告間隔2-4では、ビットマップが報告間隔1のビットマップと同じままであることが想定される。この場合、サブバンドCQI情報フィールド304及び308は、対応する送信コードワードの個々のCQIを含んでもよく、異なるサブバンドの異なる個々のCQIが連続する報告間隔で報告される。
【００３７】
また、報告時間間隔2-4において、PMI情報フィールド310に含まれるPMI情報は、個々のサブバンドの個々のPMIを含み、異なる個々のPMIが連続する報告時間間隔2-4で対応するサブバンドについて報告される。
【００３８】
図４及び５は、拡張されたPUSCH  reporting  Mode  2-0の動作について、それぞれ移動局及び基地局の動作を示している。現在の報告間隔において、移動局は、現在のビットマップが前のビットマップと同じであるか否かを決定する（402）。そうでない場合、サブバンドCQI情報フィールド204（図２）で報告されるCQI情報は、Mのサブバンドでの集約したCQIである（404）。しかし、現在のビットマップが前のビットマップと同じである場合、サブバンドCQI情報フィールド204で報告されるCQI情報は、対応する個々のサブバンドの個々のCQIである（406）。
【００３９】
図５に示すように、基地局は、現在のビットマップが前のビットマップと同じであるか否かを決定する（502）。そうでない場合、基地局は、前に受信した集約したCQIを使用する（504）。しかし、現在のビットマップが前のビットマップと同じである場合、基地局は、基地局から移動局に下りリンクデータを送信するために使用する選択されたサブバンドの個々のCQIを使用する（506）。
【００４０】
図６及び７は、それぞれ移動局及び基地局の拡張されたPUSCH  reporting  Mode  2-2の動作を示している。図６では、移動局は、現在のビットマップが前のビットマップと同じであるか否かを決定する（602）。そうでない場合、フィードバック報告のサブバンドCQI情報フィールド304及び308並びにPMI情報フィールド310（図３）は、Mのサブバンドでの集約したCQI及びPMI情報を用いて提供される（604）。しかし、現在のビットマップが前のビットマップと同じである場合、図３の時間間隔2、3又は4に示すように、個々のCQI及び個々のPMIが対応するフィールド304、308及び310で提供される（606）。
【００４１】
図７は、基地局の動作を示している。基地局は、現在のビットマップが前のビットマップと同じであるか否かを決定する（702）。そうでない場合、基地局は、移動局に下りリンク情報を送信するために、集約したCQI及び集約したPMIを使用する（704）。他方、現在のビットマップが前のビットマップと同じである場合、基地局は、移動局にデータを送信するために基地局により使用される選択されたサブバンドについて、対応する個々のCQI及び個々のPMIを使用する（706）。
【００４２】
前述の説明では、サブバンドの個々のCQI及び／又はPMIの増分の報告が実行されるべきであるか否かに関する判定を移動局が行うことが想定される。代替の実装では、移動局が個々のサブバンドの個々のフィードバック情報を送信すべきか否かに関する判定を行うものは基地局である。
【００４３】
例えば、図８に示すように、基地局は、基地局が移動局から個々のサブバンドについて個々のフィードバック情報を受信したいと思うことを判定してもよい。このような判定に応じて、基地局は、制御指示を移動局に送信する（802）。制御指示は、例えば無線リソース制御（RRC：Radio  Resource  Control）シグナリングのような高レイヤの制御シグナリングの形式でもよい。制御指示は、ビットマップが連続する報告間隔で変化しない等のような、所定の条件が満たされたことを基地局が決定したことに応じて送信されてもよい。
【００４４】
制御指示に応じて、移動局は、個々のサブバンドの個々のフィードバック情報（個々のCQI及び／又は個々のPMI）を基地局に送信する（804）。個々のフィードバック情報は、物理上りリンク制御チャネル（PUCCH：physical  uplink  control  channel）又は他のチャネルで通信されてもよい。
【００４５】
しかし、所定の条件が満たされていないことを基地局が決定すると、基地局は、移動局に対して複数のサブバンドの集約したフィードバック情報を送信させるための他の制御指示を送信する。
【００４６】
図４〜８のタスクは、図１の移動局110又は基地局100のソフトウェアで実行されてもよい。このようなソフトウェアの命令は、プロセッサ（例えば、図１のCPU130及び122）で実行される。プロセッサは、マイクロプロセッサ、マイクロコントローラ、プロセッサモジュール若しくはサブシステム（１つ以上のマイクロプロセッサ又はマイクロコントローラを含む）、又は他の制御若しくは計算装置を含む。“プロセッサ”は、単一の構成要素を示してもよく、複数の構成要素を示してもよい（例えば、１つのCPUを示してもよく、複数のCPUを示してもよい）。
【００４７】
（ソフトウェア）のデータ及び命令は、各記憶装置に格納される。各記憶装置は、１つ以上のコンピュータ可読記憶媒体又はコンピュータ使用可能記憶媒体として実装される。記憶媒体は、半導体メモリ装置（ダイナミック又はスタティックランダムアクセスメモリ（DRAM又はSRAM）、消去可能及びプログラム可能読み取り専用メモリ（EPROM）、電気的消去可能及びプログラム可能読み取り専用メモリ（EEPROM）及びフラッシュメモリ等）、磁気ディスク（固定ディスク、フロッピー（登録商標）ディスク及び取り外し可能ディスク等）、他の磁気媒体（テープを含む）、及び光学媒体（コンパクトディスク（CD）又はデジタルビデオディスク（DVD）等）を含む異なる種類のメモリを含む。
【００４８】
前述の説明では、本発明の理解を提供するために複数の詳細が示されている。しかし、本発明はこれらの詳細なしに実施されてもよいことが、当業者によりわかる。本発明は、限られた数の実施例に関して開示されているが、当業者は複数の変更及び変形を認識する。特許請求の範囲は、本発明の真の要旨及び範囲内に入るこのような変更及び変形をカバーすることを意図する。
【図１】
2014064334.tif 000003
【図２】
2014064334.tif 000004
【図３】
2014064334.tif 000005
【図４】
2014064334.tif 000006
【図５】
2014064334.tif 000007
【図６】
2014064334.tif 000008
【図７】
2014064334.tif 000009
【図８】
2014064334.tif 000010
【手続補正書】
【提出日】平成26年1月16日(2014.1.16)
【手続補正１】
【補正対象書類名】特許請求の範囲
【補正対象項目名】全文
【補正方法】変更
【補正の内容】
【特許請求の範囲】
【請求項１】
ロングタームエボリューション（ＬＴＥ）無線ネットワークにおいて移動局と無線通信するインタフェースと、
前記インタフェースに接続されたプロセッサと、を備える拡張ノードＢであって、
前記プロセッサは、
前記移動局に関連付けられる所定の条件を決定し、
前記所定の条件の決定に応答して、無線チャネルの複数のサブバンドの少なくとも一つの個々のサブバンドに関連する個々のフィードバック情報を前記移動局に送信させるために前記移動局へ制御指示を送信し、
前記制御指示に応答して、前記移動局から前記フィードバック情報を含む少なくとも一つのレポートを受信し、前記少なくとも一つのレポートは前記移動局と前記拡張ノードＢとの間の物理上りチャネルを用いて送信される拡張ノードＢ。
【請求項２】
前記複数のサブバンドは前記無線チャネルのすべてのサブバンドの中から選択された好ましいサブバンドである請求項１に記載の拡張ノードＢ。
【請求項３】
前記制御指示の送信は所定の条件が満たされたとの決定に応答するものであり、前記プロセッサはさらに、
前記所定の条件が満たされないとの決定に応答して、前記複数のサブバンドのための集約したフィードバック情報を前記移動局に送信させるために他の制御指示を送信する請求項１に記載の拡張ノードＢ。
【請求項４】
前記プロセッサはさらに、
前記無線チャネルのすべての利用可能なサブバンドより少ない前記複数のサブバンドのうちの一以上を用いてデータ通信を実行する請求項１に記載の拡張ノードＢ。
【請求項５】
前記フィードバック情報は、プリコーディング行列インデックス（ＰＭＩ）またはチャネル品質インジケータ（ＣＱＩ）の一つを含む請求項１に記載の拡張ノードＢ。
【請求項６】
移動局からフィードバックを受信するための方法であって、
拡張ノードＢによって、前記移動局に関連付けられる所定の条件を決定する段階であって、前記拡張ノードＢはロングタームエボリューション（ＬＴＥ）無線ネットワークで動作するものである段階と、
前記所定の条件の決定に応答して、前記拡張ノードＢによって、無線チャネルの複数のサブバンドの少なくとも一つの個々のサブバンドに関連する個々のフィードバック情報を前記移動局に送信させるために前記移動局へ制御指示を送信する段階と、
前記制御指示に応答して、前記拡張ノードＢによって、前記移動局から前記フィードバック情報を含む少なくとも一つのレポートを受信する段階と、を含み、前記少なくとも一つのレポートは前記移動局と前記拡張ノードＢとの間の物理上りチャネルを用いて送信される方法。
【請求項７】
前記複数のサブバンドは前記無線チャネルのすべてのサブバンドの中から選択された好ましいサブバンドである請求項６に記載の方法。
【請求項８】
前記制御指示の送信は所定の条件が満たされたとの決定に応答するものであり、前記方法はさらに、
前記所定の条件が満たされないとの決定に応答して、前記複数のサブバンドのための集約したフィードバック情報を前記移動局に送信させるために他の制御指示を送信する段階を含む請求項６に記載の方法。
【請求項９】
前記方法はさらに、
前記無線チャネルのすべての利用可能なサブバンドより少ない前記複数のサブバンドのうちの一以上を用いてデータ通信を実行する段階を含む請求項６に記載の方法。
【請求項１０】
前記フィードバック情報は、プリコーディング行列インデックス（ＰＭＩ）またはチャネル品質インジケータ（ＣＱＩ）の一つを含む請求項６に記載の方法。
【請求項１１】
移動局と無線通信するインタフェースと、
前記インタフェースに接続されたプロセッサと、を備える基地局であって、
前記プロセッサは、
無線チャネルの複数のサブバンドの少なくとも一つの個々のサブバンドに関連する個々のフィードバック情報を前記移動局に送信させるために前記移動局へ制御指示を送信し、
前記制御指示に応答する前記フィードバック情報を含む少なくとも一つのメッセージを前記移動局から受信する基地局。
【請求項１２】
前記複数のサブバンドは前記無線チャネルのすべてのサブバンドの中から選択された好ましいサブバンドである請求項１１に記載の基地局。
【請求項１３】
前記制御指示の送信は所定の条件が満たされたとの決定に応答するものであり、前記プロセッサはさらに、
前記所定の条件が満たされないとの決定に応答して、前記複数のサブバンドのための集約したフィードバック情報を前記移動局に送信させるために他の制御指示を送信する請求項１１に記載の基地局。
【請求項１４】
前記プロセッサはさらに、
前記無線チャネルのすべての利用可能なサブバンドより少ない前記複数のサブバンドのうちの一以上を用いてデータ通信を実行する請求項１１に記載の基地局。
【請求項１５】
前記フィードバック情報は、プリコーディング行列インデックス（ＰＭＩ）またはチャネル品質インジケータ（ＣＱＩ）の一つを含む請求項１１に記載の基地局。
【請求項１６】
移動局からフィードバックを受信するための方法であって、
基地局によって、無線チャネルの複数のサブバンドの少なくとも一つの個々のサブバンドに関連する個々のフィードバック情報を前記移動局に送信させるために前記移動局へ制御指示を送信する段階と、
前記基地局によって、前記制御指示に応答する前記フィードバック情報を含む少なくとも一つのメッセージを前記移動局から受信する段階と、を含む方法。
【請求項１７】
前記複数のサブバンドは前記無線チャネルのすべてのサブバンドの中から選択された好ましいサブバンドである請求項１６に記載の方法。
【請求項１８】
前記制御指示の送信は所定の条件が満たされたとの決定に応答するものであり、前記方法はさらに、
前記所定の条件が満たされないとの決定に応答して、前記複数のサブバンドのための集約したフィードバック情報を前記移動局に送信させるために他の制御指示を送信する段階を含む請求項１６に記載の方法。
【請求項１９】
前記方法はさらに、
前記無線チャネルのすべての利用可能なサブバンドより少ない前記複数のサブバンドのうちの一以上を用いてデータ通信を実行する段階を含む請求項１６に記載の方法。
【請求項２０】
前記フィードバック情報は、プリコーディング行列インデックス（ＰＭＩ）またはチャネル品質インジケータ（ＣＱＩ）の一つを含む請求項１６に記載の方法。